(57)【要約】【課題】枠体に対して灯体を取り付ける際に、より取り付け作業が容易になる照明器具を提供する。【解決手段】光源を有する灯体２と、設置部に取り付けられ、灯体２を支持する枠体１とを備える照明器具１０であって、灯体２は、枠体１に挿入する略円柱状のヒートシンク６と、灯体２を枠体１に支持するアーム部７３とを有し、枠体１は、ヒートシンク６が挿入される円筒状のガイド部４４と、中央部に開口４ａを有しアーム部７３が載置される円板状の台座部４２とを有することを特徴とする。【選択図】図１
2014216161.tif 000002
【特許請求の範囲】
【請求項１】
光源を有する灯体と、
設置部に取り付けられ、前記灯体を支持する枠体とを備える照明器具であって、
前記灯体は、前記枠体に挿入する略円柱状の挿入部と、前記灯体を前記枠体に支持する支持部とを有し、
前記枠体は、前記挿入部が挿入される円筒状のガイド部と、中央部に開口を有し前記支持部が載置される円板状の台座部とを有することを特徴とする照明器具。
【請求項２】
前記台座部は、前記支持部が通過する切欠部を有し、
前記ガイド部は、前記切欠部に対し前記灯体の挿入方向側に配置されてあり、前記切欠部を通過した前記支持部の挿入方向の移動を規制する規制部を有することを特徴とする請求項１に記載の照明器具。
【請求項３】
前記枠体は、
前記切欠部から前記枠体の周方向に連通し、前記支持部を前記枠体の周方向に案内する案内溝と、
前記切欠部と前記支持部の載置位置の間において、前記台座部から前記案内溝方向に突出する突起部とを有することを特徴とする請求項２に記載の照明器具。
【請求項４】
前記枠体は、前記台座部の内周部と前記ガイド部を連結するとともに、前記台座部の内周部から前記ガイド部に向かうに従い縮径した円筒状をなすテーパ部を有することを特徴とする請求項１〜３のいずれか１項に記載の照明器具。
【請求項５】
前記台座部から先端部が突出した状態で前記台座部に保持され、前記支持部を前記台座部に固定する固定部材を備え、
前記支持部は、該支持部の側面部から前記固定部材の固定位置まで前記固定部材を案内する案内部を有することを特徴とする請求項１〜４のいずれか１項に記載の照明器具。
【発明の詳細な説明】
【技術分野】
【０００１】
本発明は、設置部に取り付けられる枠体および前記枠体に支持される灯体を備える照明器具に関するものである。
【背景技術】
【０００２】
従来、天井等に設けられた埋設孔に埋め込まれてダウンライト等に適用される照明器具が使用されている。例えば、特許文献１には、図７に示すように、枠体１０１と、枠体１０１とは別構成で光源としてＬＥＤを有する灯体１０２とを備える照明器具１００が開示されている。
【０００３】
特許文献１に記載の照明器具は、枠体１０１の下方から灯体１０２を挿入して灯体１０２を枠体１０１に取り付ける。より具体的には、枠体１０１が第１枠部１０３と第２枠部１０４を有し、枠体１０１に挿入された灯体１０２の段部１０５が第１枠部１０３の段部当接部１０６に当接し、灯体１０２に対して枠体１０１を回動させることにより、灯体１０２の受部１０７が第１枠部１０３の掛止部１０８に当接することで灯体１０２が枠体１０１に取り付けられる。つまり灯体１０２の枠体１０１への挿入方向の位置決めは、段部１０５および段部当接部１０６の当接によりなされている。
【先行技術文献】
【特許文献】
【０００４】
【特許文献１】特開２０１２−２５２７８９号公報
【発明の概要】
【発明が解決しようとする課題】
【０００５】
しかしながら、特許文献１に記載の照明器具１００にあっては、挿入方向における枠体１０１に対する灯体１０２の位置決め、つまり第１枠部１０３への放熱フィン１０９の挿入方向の位置決めは考慮されているものの、挿入方向に対する灯体１０２の傾きについては全く考慮されていない。
【０００６】
つまり、第１枠部１０３の内周部、つまり段部当接部１０６に沿って灯体１０２を挿入させたときに、仮に灯体１０２の挿入方向に対して放熱フィン１０９が斜めに傾いていると、放熱フィン１０９が段部当接部１０６に引っ掛かり灯体１０２をスムーズに挿入できない。あるいは、挿入できたとしても放熱フィン１０９が傾いたままであると、灯体１０２の回動時に放熱フィン１０９が第１枠部１０３の内周部である段部当接部１０６に引っかかりスムーズに回動させることができず、枠体１０１に対する灯体１０２の取り付け作業が困難になる虞がある。同様の問題は灯体１０２を枠体１０１から取り外す際にも生じる。
【０００７】
本発明は、上記問題に鑑みてなされたものであり、枠体に対して灯体を取り付ける際に、より取り付け作業が容易になる照明器具を提供することを目的とする。
【課題を解決するための手段】
【０００８】
本発明は、光源を有する灯体と、設置部に取り付けられ、前記灯体を支持する枠体とを備える照明器具であって、前記灯体は、前記枠体に挿入する略円柱状の挿入部と、前記灯体を前記枠体に支持する支持部とを有し、前記枠体は、前記挿入部が挿入される円筒状のガイド部と、中央部に開口を有し前記支持部が載置される円板状の台座部とを有することを特徴とする。
【０００９】
また、本発明は、前記台座部は、前記支持部が通過する切欠部を有し、前記ガイド部は、前記切欠部に対し前記灯体の挿入方向側に配置されてあり、前記切欠部を通過した前記支持部の挿入方向の移動を規制する規制部を有することを特徴とする。
【００１０】
また、本発明は、前記枠体は、前記切欠部から前記枠体の周方向に連通し、前記支持部を前記枠体の周方向に案内する案内溝と、前記切欠部と前記支持部の載置位置の間において、前記台座部から前記案内溝方向に突出する突起部とを有することを特徴とする。
【００１１】
また、本発明は、前記枠体は、前記台座部の内周部と前記ガイド部を連結するとともに、前記台座部の内周部から前記ガイド部に向かうに従い縮径した円筒状をなすテーパ部を有することを特徴とする。
【００１２】
また、本発明は、前記台座部から先端部が突出した状態で前記台座部に保持され、前記支持部を前記台座部に固定する固定部材を備え、前記支持部は、該支持部の側面部から前記固定部材の固定位置まで前記固定部材を案内する案内部を有することを特徴とする。
【発明の効果】
【００１３】
本発明によれば、枠体に対して灯体を取り付ける際に、より容易に取り付け作業を行うことができる。
【図面の簡単な説明】
【００１４】
【図１】本発明に係る照明器具の外観を示す斜視図である。
【図２】図１に示す照明器具の分解斜視図である。
【図３】図１に示す照明器具の側面図である。
【図４】図１に示す照明器具が有する枠体の斜視図である。
【図５】図１に示す照明器具が有する灯体の斜視図である。
【図６】枠体に対する灯体の取り付け方法の説明図である
【図７】従来の照明器具の説明図である。
【発明を実施するための形態】
【００１５】
（第１の実施形態）
本発明の第１の実施形態について説明する。本実施形態では、一例として天井等の設置部に設けられた埋め込み孔に挿入して取り付けられる、いわゆるダウンライトに適用される照明器具について説明する。
【００１６】
図１は、本実施形態に係る照明器具１０の外観を示す斜視図である。図２は、図１に示す照明器具の分解斜視図である。図３は、図１に示す照明器具１０の側面図である。図４は、図１に示す照明器具１０が有する枠体１の斜視図である。なお、図４の（ａ）は枠体１を下方から見た斜視図であり、（ｂ）は枠体１を上方から見た斜視図である。図５は、図１に示す照明器具１０が有する灯体２の斜視図であり、（ａ）は灯体２を下方から見た斜視図であり、（ｂ）は灯体２を上方から見た斜視図である。図６は、枠体１に対する灯体２の取り付け方法の説明図である。
【００１７】
図１および図２に示すように、照明器具１０は、枠体１、灯体２、補助反射板３を備える。
【００１８】
図２に示すように、枠体１は、中央に開口４ａを有する円環状の第１枠部４と、同じく中央に開口５ａを有する円環状の第２枠部５と、第１枠部と第２枠部とを接続する複数の接続部１１を有する。
【００１９】
第１枠部４と第２枠部５は、図４に示すように、略同心円上に第１枠部４が上方に位置するように配置され、開口４ａ及び開口５ａの開口面に垂直な方向に適長離隔して平行に設けられる。また接続部１１は、第１枠部４と第２枠部５の周方向に沿ってほぼ等間隔に３個所設けられている。各接続部１１の長手方向の両端部は、ねじ４１およびリベット５ｂにより第１枠部４と第２枠部５にそれぞれ固定されている。
【００２０】
第１枠部４は、中央部に円形の開口４ａを有する円板状の台座部４２、台座部４２の内周部４２ａ近傍から開口４ａの内側上方向に延設された傾斜面を有する円筒状のテーパ部４３と、テーパ部４３の上端部４３ａから略垂直上方に延設された円筒状のガイド部４４を有する。すなわち、テーパ部４３は台座部４２とガイド部４４の間で両部材を連結している。
【００２１】
ガイド部４４は、内径が台座部４２の内周部４２ａの直径よりもわずかに小さい。またテーパ部４３の上端部４３ａ、つまりガイド部４４の下端部は内周部４２ａよりも垂直上方側に位置している。したがって、ガイド部４４の下端部と内周部４２ａを連結するテーパ部４３は、内周部４２ａからガイド部４４側に向かうに従って縮径するように形成され、ガイド部４４および台座部４２に対して傾斜面をなす。なお、第１枠部４には後述する灯体２の円柱状のヒートシンク６が挿入される。
【００２２】
台座部４２は、内周部４２ａの一部に矩形状に開口したバネ係止部４２ｂが開口４ａを間にして対向する２個所に設けられている。バネ係止部４２ｂには後述のキックバネ８が係止される。また、台座部４２には、接続部１１を固定するねじ４１が挿通される貫通孔が形成されている。
【００２３】
さらに、台座部４２には、開口４ａを間にして対向する２個所に後述するアーム部７３を挿通されて通過する矩形の切欠部４２ｃが形成されている。切欠部４２ｃは、テーパ部４３を径方向に縦断し、さらにガイド部４４の途中まで延設されている。すなわち切欠部４２ｃは台座部４２とガイド部４４の間に形成された矩形状の貫通孔である。なお、バネ係止部４２ｂ，４２ｂと切欠部４２ｃ，４２ｃは、台座部４２の周方向に略等間隔に設けられている。
【００２４】
また、ガイド部４４は切欠部４２ｃに対し灯体２の挿入方向側に位置しており、切欠部４２ｃの上端部、つまりガイド部４４の下端には、切欠部４２ｃに挿入されたアーム部７３の挿入方向の移動を規制する規制部４４ａが形成されている。つまり、切欠部４２ｃに垂直上方向に挿入されたアーム部７３は、規制部４４ａに当接するので、垂直上方向への移動が規制される。
【００２５】
また、ガイド部４４およびテーパ部４３には切欠部４２ｃの上端部分に連通し、切欠部４２ｃからガイド部４４およびテーパ部４３の周方向に延設される貫通孔である案内溝４２ｄが形成されている。案内溝４２ｄは、規制部４４ａと台座部４２の内周部４２ａの間に形成される。また案内溝４２ｄは、高さ方向の幅（厚さ寸法）がアーム部７３の高さ方向の幅よりも大きく、アーム部７３が第１枠部４の周方向に沿って案内溝４２ｄ内を移動できるように形成されている。
【００２６】
また、案内溝４２ｄの切欠部４２ｃ側の端部には、内周部４２ａから案内溝４２ｄの内側方向に突起する突起部４２ｆが設けられている。つまり、突起部４２ｆは、切欠部４２ｃと、台座部４２におけるアーム部７３の載置位置との間に設けられる。突起部４２ｆの上端と案内溝４２ｄの上端との間には隙間４２ｇが形成されている。隙間４２ｇは、切欠部４２ｃに挿入されたアーム部７３を第１枠部４の周方向に回転させたときに通過できる程度の高さ方向の幅に形成されている。つまり隙間４２ｇの高さ方向の幅はアーム部７３の高さ方向の幅よりもわずかに大きい。
【００２７】
次に、第２枠部５は、中央部に開口５ａを有する円板状の化粧枠５１と、化粧枠５１の内周部５１ａから垂直上方に延設された円筒部５２とを有する。化粧枠５１は、照明器具１０を天井に設けられた埋め込み孔（不図示）に挿入して取り付けたときに、上記埋め込み孔の周縁を覆い天井面に当接する。円筒部５２には、リベット５ｂにより接続部１１の下端部が取り付けられる。
【００２８】
図４に示す接続部１１は、矩形状の板部材であり、第１枠部４の台座部４２と第２枠部５の円筒部５２に固定される。具体的には、接続部１１の上端部に先端がＬ字状に屈曲した屈曲部１１ａを有し、屈曲部１１ａに設けられたねじ穴とねじ４１により屈曲部１１ａが台座部４２に固定される。また、接続部１１の下端部の設けられた貫通孔とリベット５ｂにより上記下端部が円筒部５２に固定される。また、接続部１１の中央部には長手方向に延びるスリット１２が形成されており、スリット１２に図１および図３に示すように公知の取付金具１３が取り付けられている。取付金具１３と化粧枠５１との間に天井面を挟持することにより照明器具１０を天井に設けられた埋め込み孔に取り付けることができる。
【００２９】
次に、図５に示す灯体２について説明する。灯体２は、ヒートシンク６と、灯具本体７を有する。
【００３０】
ヒートシンク６は、アルミニウム等の金属製材料からなり、押出し成型により形成される外形が円柱状をなす部材である。ヒートシンク６は、枠体１に挿入する挿入部である。ヒートシンク６は、中実の軸部６１と軸部６１の外周面から径方向に延設され、軸部６１の周方向に沿って複数設けられた放熱フィン６２を有する。複数の放熱フィン６２の側面により形成されるヒートシンク６の外周面６３はほぼ円柱の外周面をなすように形成されている。外周面６３の直径はガイド部４４の内径よりわずかに小さい寸法に形成されている。
【００３１】
軸部６１の不図示の下面部には光源であるＬＥＤ（不図示）が実装されており、ＬＥＤからの熱が上記下面部から軸部６１を介して放熱フィン６２に伝導され、放熱フィン６２からＬＥＤの熱を外部に放熱することができる。
【００３２】
灯具本体７は、光源としてのＬＥＤを収容する筒状の金属部材であり、ヒートシンク６とは別体に構成されている。なお、灯具本体７とヒートシンク６とは不図示のねじにより固定されている。灯具本体７は、円錐台状の本体部７１、本体部７１から連接された筒部７２、本体部７１から側方に突出して設けられた矩形状のアーム部７３を有する。アーム部７３は灯体２を枠体１に支持する支持部である。アーム部７３は灯体２が有するヒートシンク６の外周面６３よりも外側に突出している。なお、本実施形態では、アーム部７３は灯具本体７に設けられているが、ヒートシンク６に支持部としてのアーム部を設けてもよい。
【００３３】
筒部７２の下面にはガラス製の透光部７４が設けられており、透光部７４からＬＥＤの光を出射する。なお、本体部７１の不図示の内面はＬＥＤからの光を反射する反射面を形成する。
【００３４】
アーム部７３は、台座部４２の上面に載置されることで灯体２を枠体１に支持する部材である。具体的には、アーム部７３は、台座部４２の上面における切欠部４２ｃに隣接する位置であり、かつ案内溝４２ｄに対向する面（案内溝４２ｄの径方向外側に位置する面）に載置される（図１参照）。そして、図４に示す台座部４２に設けられたねじ孔４２ｅの位置で、ねじ孔４２ｅに下面側から挿入された固定部材としてのローレットビス４５によりアーム部７３が固定される。なお、ローレットビス４５は台座部４２から落下しないようにねじ孔４２ｅに予め保持されており、先端部がねじ孔４２ｅから突出している。
【００３５】
アーム部７３は本体部７１を間にして対向する２個所に本体部７１と一体的に設けられており、２個所のアーム部７３で灯体２を枠体１に支持できる強度を有している。アーム部７３の下面には台座部４２から突出するローレットビス４５を案内する溝状の案内部７３ａと、案内部７３ａの端部に設けられローレットビス４５が挿通する貫通孔７３ｂを有する。
【００３６】
次に、図２に示す補助反射板３は、枠体１の化粧枠５１の内側に鏡面加工された反射面を形成する下方に向かって拡径した筒状の部材であり、上端３１に取り付けられたＶ字状のキックバネ８により枠体１に保持される。具体的には、枠体１および灯体２が天井に設けられた埋め込み孔に取り付けられた状態で、キックバネ８を台座部４２のバネ係止部４２ｂに挿通し、キックバネ８により上方に作用する付勢力で補助反射板３下端に位置する枠部３２が化粧枠５１の下面に係止する。このようにして、キックバネ８の作用により補助反射板３が枠体１に取り付けられる。
【００３７】
次に、照明器具１０の取り付け手順について図２および図６を用いて説明する。
【００３８】
まず、枠体１を天井等に設けられた埋め込み孔に第１枠部４側から図２の矢印Ａに示す方向に挿入し、第２枠部５の化粧枠５１の上面を天井面における埋め込み孔の周囲の部分に当接させる。３個所の接続部１１に取り付けられた取付金具１３は、化粧枠５１が天井面に当接するときに埋め込み孔よりも外側に突出する。これにより、取付金具１３と化粧枠５１の間に天井面が狭持され、枠体１が天井に保持される。
【００３９】
次に、灯体２をヒートシンク６側から第２枠部５の開口５ａの下方側から同じく矢印Ａの方向に挿入する。このとき、灯体２のアーム部７３の位置を第１枠部４の切欠部４２ｃの位置に合わせて挿入する。切欠部４２ｃの位置は、灯体２の挿入時に天井面の下方から確認することが可能である。
【００４０】
灯体２のアーム部７３が第２枠部５を通過し、さらに第１枠部４の切欠部４２ｃに挿入され切欠部４２ｃを通過すると、アーム部７３の上面がガイド部４４の規制部４４ａに当接し、図６の（ａ）で示される状態になる。このとき、作業者は灯体２を枠体１に対して回転させる位置であることがわかる。
【００４１】
次に、アーム部７３が規制部４４ａに位置した状態で灯体２を作業者側から見て時計回り、つまり図６（ａ）の矢印Ｂで示す案内溝４２ｄが延びる方向に回動させる。アーム部７３は、まず切欠部４２ｃの上端からガイド部４４の周方向に連接された隙間４２ｇを通過する。アーム部７３の回転方向と反対側の端部が隙間４２ｇを通過すると、アーム部７３の回転方向側の端部が案内溝４２ｄの回転方向側の端部４２ｄ１に当接する。このとき、図６の（ｂ）で示される状態になり、作業者はアーム部７３を枠体１の台座部４２に載置する位置であることがわかる。
【００４２】
次に、灯体２のアーム部７３を台座部４２に載置し、２個所のアーム部７３の貫通孔７３ｂに台座部４２から突出したローレットビス４５を締結することで、アーム部７３は台座部４２に固定され、これにより枠体１に灯体２が固定される。このとき、アーム部７３の回転方向と反対側の位置、つまりアーム部７３の載置位置と切欠部４２ｃとの間には台座部４２から上方向に突起する突起部４２ｆが位置する。台座部４２に載置されたアーム部７３が固定される前であっても、突起部４２ｆによりアーム部７３が切欠部４２ｃ側に移動することを規制することができるので、取り付け作業時における灯体２の落下を防止することができる。
【００４３】
最後に、補助反射板３に取り付けられたキックバネ８を、キックバネ８の両端部が近づく方向に縮めてバネ係止部４２ｂに挿入する。補助反射板３を枠体１の方向に挿入するに従って、キックバネ８が広がり、補助反射板３を垂直上方向に付勢する力により補助反射板３の枠部３２が化粧枠５１の下面に係止して補助反射板３が枠体１に取り付けられる。以上の手順により照明器具１０の取り付け作業を完了する。
【００４４】
以上の取り付け手順において、灯体２を枠体１に挿入するときにヒートシンク６の外周面６３がガイド部４４の内周面と面接触可能に挿入できるため、灯体２を枠体１に対し確実に垂直方向に挿入することが可能となる。すなわち、灯体２の挿入方向（垂直方向）に対して灯体２が斜めに傾きにくくすることができるので、図７の従来の照明器具１００のように灯体１０２の挿入時に放熱フィン１０９が枠体１０１に引っ掛かり、挿入作業がしにくくなることを防止できる。
【００４５】
さらに、外周面６３とガイド部４４の内周面は、面同士が互いに対向しているので、灯体２を枠体１への挿入後に回動させる際にも灯体２が斜め傾きにくく、したがって放熱フィン６２がガイド部４４の内面に引っ掛からずにスムーズに灯体２を回転させることができる。
【００４６】
また、ガイド部４４と台座部４２との間にテーパ部４３が形成されているので、外周面６３より内径が大きい台座部４２の内周部４２ａからテーパ部４３の傾斜面に沿ってガイド部４４側にヒートシンク６を案内しながら挿入することができる。これにより、外周面６３の直径とガイド部４４の内径の差がわずかであっても、スムーズにヒートシンク６をガイド部４４に挿入することができる。
【００４７】
また、ローレットビス４５は台座部４２から落下しないようにねじ孔４２ｅに予め保持されており、先端がねじ孔４２ｅから突出している。この状態で灯体２とともに回動するアーム部７３の案内部７３ａに沿ってローレットビス４５の先端部が案内される。これにより、スムーズにローレットビス４５をアーム部７３の側面部から固定位置である貫通孔７３ｂまで案内することができる。
【００４８】
また、図７に示した従来の照明器具１００では、受部１０７が、第１枠部本体１１０の一部を切り欠いて片持ち状に突出するように形成された係止部１０８に載置されているのに対し、本発明のアーム部７３は、円板状の台座部４２に直接載置できるので、強度的により安定して灯体２を枠体１に保持することができる。
【００４９】
また、従来の照明器具１００が、挿入方向の位置決めのために放熱フィン１０９から段部１０５を形成しており、放熱フィン１０９の直径が大きくなることで灯体１０２が大型化し重量も大きくなるのに対し、本発明は、アーム部７３を利用して挿入方向の位置決めをしており、さらにアーム部７３が当接する規制部４４ａをガイド部４４と一体的に設けているので、垂直方向の位置決めのために灯具２および枠体１を大型化する必要がない。
【００５０】
以上の実施の形態の説明において、光源としてＬＥＤを用いる例について説明したが、光源はＬＥＤに限定されず、ＥＬや蛍光ランプ等の他の光源を用いてもよい。また、一実施形態としてダウンライトに適用する例について説明したが、枠体および枠体に挿入して取り付ける灯体を備える照明器具であれば照明器具の形態や設置位置等は特に限定されない。
【符号の説明】
【００５１】
１              枠体
２              灯体
３              補助反射板
４              第１枠部
４ａ            開口
５              第２枠部
６              ヒートシンク
７              灯具本体
７３            アーム部
４２            台座部
４２ａ          内周部
４２ｃ          切欠部
４２ｄ          案内溝
４２ｆ          突起部
４３            テーパ部
４４            ガイド部
４４ａ          規制部
４５            ローレットビス
７３ａ          案内部
７３ｂ          貫通孔
【図１】
2014216161.tif 000003
【図２】
2014216161.tif 000004
【図３】
2014216161.tif 000005
【図４】
2014216161.tif 000006
【図５】
2014216161.tif 000007
【図６】
2014216161.tif 000008
【図７】
2014216161.tif 000009